(57)【特許請求の範囲】
【請求項１】
ＥＴＣ車載器が接続され、
有料道路の入口の属性情報を含む地図情報が記憶された地図情報記憶手段と、
有料道路の利用料金を示す情報が、利用料金の支払いを有料道路の出入口のいずれで行うべきかを示す情報および有料道路の出入口の属性情報と対応付けられた状態で記憶された利用料金情報記憶手段と、
自車位置を検出する自車位置検出手段と、
前記地図情報記憶手段に記憶された前記地図情報および前記自車位置検出手段の検出結果に基づいて、有料道路の入口付近への自車の到達を検出する入口付近到達検出手段と、
この入口付近到達検出手段によって前記入口付近への自車の到達が検出された際に、前記利用料金情報記憶手段に記憶された情報に基づいて、前記入口付近に対応する入口が有料道路の利用料金の支払いを行うべき入口である場合には、支払うべき利用料金の通知を行う通知手段と
を備えたナビゲーション装置であって、
指定された出口をＥＴＣを利用して通過した後に、制限時間以内に指定された施設を利用した上での前記指定された出口に対応する指定された入口の通過がＥＴＣを利用して行われた場合に、前記指定された入口における利用料金の支払いが免除される特定の有料道路についての、前記指定された出口の識別情報および前記指定された入口の属性情報が記憶された指定出入口情報記憶手段と、
前記指定された出口、施設および入口を順に通過する誘導経路を誘導するナビゲーション部と、
自車が前記特定の有料道路の出口をＥＴＣを利用して通過する際に、当該出口の識別情報および通過時刻を前記ＥＴＣ車載器から取得する通過出口情報取得手段と、
前記指定された施設の利用が行われた旨の情報を前記ＥＴＣ車載器から取得する指定施設利用情報取得手段と、
現在の時刻を取得する現在時刻取得手段と、
前記ナビゲーション部によって示された誘導経路を自車が走行する場合において、前記入口付近到達検出手段によって前記特定の有料道路の入口付近への自車の到達が検出された際に、当該入口付近に対応する入口の属性情報と、前記指定出入口情報記憶手段に記憶された情報と、前記通過出口情報取得手段、前記指定施設利用情報取得手段および前記現在時刻取得手段のそれぞれの取得結果とに基づいて、次の条件（１）〜（４）、
（１）自車が前記指定された出口をＥＴＣを利用して通過したこと、
（２）自車が前記指定された施設を利用したこと、
（３）前記入口付近に対応する入口が前記指定された出口に対応する前記指定された入口であること、
（４）自車が前記指定された出口を通過してから当該出口に対応する前記指定された入口の前記入口付近に到達するまでの所要時間が前記制限時間よりも短い時間であること、
が満足されたか否かを判定する判定手段と、
この判定手段によって条件（１）〜（４）のすべてが満足されたと判定された場合に、前記通知手段に対して前記利用料金の通知を禁止する制御を行う制御手段と
を備えたことを特徴とするナビゲーション装置。
【請求項２】
ＥＴＣ車載器が接続され、
有料道路の入口の属性情報を含む地図情報が記憶された地図情報記憶手段と、
有料道路の利用料金を示す情報が、利用料金の支払いを有料道路の出入口のいずれで行うべきかを示す情報および有料道路の出入口の属性情報と対応付けられた状態で記憶された利用料金情報記憶手段と、
自車位置を検出する自車位置検出手段と、
前記地図情報記憶手段に記憶された前記地図情報および前記自車位置検出手段の検出結果に基づいて、有料道路の入口付近への自車の到達を検出する入口付近到達検出手段と、
この入口付近到達検出手段によって前記入口付近への自車の到達が検出された際に、前記利用料金情報記憶手段に記憶された情報に基づいて、前記入口付近に対応する入口が有料道路の利用料金の支払いを行うべき入口である場合には、支払うべき利用料金の通知を行う通知手段と
を備えたナビゲーション装置であって、
指定された出口をＥＴＣを利用して通過した後に、制限時間以内に指定された施設を利用した上での前記指定された出口に対応する指定された入口の通過がＥＴＣを利用して行われた場合に、前記指定された入口における利用料金の支払いが免除される特定の有料道路についての、前記指定された出口および前記指定された入口のそれぞれの属性情報が記憶された指定出入口情報記憶手段と、
前記指定された出口、施設および入口を順に通過する誘導経路を誘導するナビゲーション部と、
現在の時刻を取得する現在時刻取得手段と、
自車が前記特定の有料道路の出口をＥＴＣを利用して通過する際に、前記地図情報記憶手段に記憶された前記地図情報および前記自車位置検出手段の検出結果に基づいて、当該出口の属性情報を取得するとともに、前記現在時刻取得手段の取得結果または前記ＥＴＣ車載器の取得情報に基づいて、当該出口の通過時刻を取得する通過出口情報取得手段と、
前記指定された施設の利用が行われた旨の情報を前記ＥＴＣ車載器から取得する指定施設利用情報取得手段と、
前記ナビゲーション部によって示された誘導経路を自車が走行する場合において、前記入口付近到達検出手段によって前記特定の有料道路の入口付近への自車の到達が検出された際に、当該入口付近に対応する入口の属性情報と、前記指定出入口情報記憶手段に記憶された情報と、前記通過出口情報取得手段、前記指定施設利用情報取得手段および前記現在時刻取得手段のそれぞれの取得結果とに基づいて、次の条件（１）〜（４）、
（１）自車が前記指定された出口をＥＴＣを利用して通過したこと、
（２）自車が前記指定された施設を利用したこと、
（３）前記入口付近に対応する入口が前記指定された出口に対応する前記指定された入口であること、
（４）自車が前記指定された出口を通過してから当該出口に対応する前記指定された入口の前記入口付近に到達するまでの所要時間が前記制限時間よりも短い時間であること、
が満足されたか否かを判定する判定手段と、
この判定手段によって条件（１）〜（４）のすべてが満足されたと判定された場合に、前記通知手段に対して前記利用料金の通知を禁止する制御を行う制御手段と
を備えたことを特徴とするナビゲーション装置。
【請求項３】
前記制御手段は、前記利用料金の通知を禁止する制御を行う際に、前記通知手段に対して、前記利用料金に代えて前記利用料金が発生しない旨を通知させる制御を行うこと
を特徴とする請求項１または請求項２に記載のナビゲーション装置。
【請求項４】
前記判定手段は、条件（１）〜（４）が満足されたか否かを、条件（１）から条件（４）に向かう順番にしたがって順次判定し、
前記制御手段は、前記判定手段によって満足されなかったと判定された時点の条件が条件（２）以後の条件である場合には、前記通知手段に対して当該条件が満足されなかった旨を前記利用料金と併せて通知させる制御を行うこと
を特徴とする請求項１乃至請求項３のいずれか１項に記載のナビゲーション装置。
【請求項５】
前記通知手段は、表示および音声案内の少なくとも一方による通知を行うこと
を特徴とする請求項１乃至請求項４のいずれか１項に記載のナビゲーション装置。
【請求項６】
条件（４）における前記制限時間よりも短い時間は、前記制限時間よりも所定時間以上短い時間であること
を特徴とする請求項１乃至請求項５のいずれか１項に記載のナビゲーション装置。
【請求項７】
前記指定された施設は、スマートＰＡであること
を特徴とする請求項１乃至請求項６のいずれか１項に記載のナビゲーション装置。
【請求項８】
指定された出口、施設および入口を順に通過する誘導経路を誘導するナビゲーション装置と接続され、有料道路の利用料金の自動支払いが可能とされ、自車が有料道路の入口を通過する際に、当該入口に設置された路側機との通信によって当該有料道路の利用料金の情報が取得された場合に、当該利用料金の通知を行う通知手段を備えたＥＴＣ車載器であって、
指定された出口をＥＴＣを利用して通過した後に、制限時間以内に指定された施設を利用した上での前記指定された出口に対応する指定された入口の通過がＥＴＣを利用して行われた場合に、前記指定された入口における利用料金の支払いが免除される特定の有料道路についての、前記指定された出口および前記指定された入口のそれぞれの識別情報が記憶された指定出入口情報記憶手段と、
自車が前記特定の有料道路の出口をＥＴＣを利用して通過する際に、当該出口に設置された路側機との通信によって当該出口の識別情報および通過時刻を取得する通過出口情報取得手段と、
前記指定された施設に設置されたＥＴＣアンテナとの通信に基づいて、前記指定された施設の利用が行われた旨の情報を取得する指定施設利用情報取得手段と、
自車が前記特定の有料道路の入口をＥＴＣを利用して通過する際に、当該入口に設置された路側機との通信によって当該入口の識別情報および通過時刻を取得する通過入口情報取得手段と、
自車が前記特定の有料道路の入口をＥＴＣを利用して通過する際に、前記指定出入口情報記憶手段に記憶された情報と、前記通過出口情報取得手段、前記指定施設利用情報取得手段および前記通過入口情報取得手段のそれぞれの取得結果とに基づいて、次の条件（１）〜（４’）、
（１）自車が前記指定された出口をＥＴＣを利用して通過したこと、
（２）自車が前記指定された施設を利用したこと、
（３’）自車が通過する入口が前記指定された出口に対応する前記指定された入口であること、
（４’）自車が前記指定された出口を通過してから当該出口に対応する前記指定された入口を通過するまでの所要時間が前記制限時間以内の時間であること、
が満足されたか否かを判定する判定手段と、
この判定手段によって条件（１）〜（４’）のすべてが満足されたと判定された場合に、前記通知手段に対して前記利用料金の通知を禁止する制御を行う制御手段と
を備えたことを特徴とするＥＴＣ車載器。
【請求項９】
前記制御手段は、前記利用料金の通知を禁止する制御を行う際に、前記通知手段に対して、前記利用料金に代えて前記利用料金が発生しない旨を通知させる制御を行うこと
を特徴とする請求項８に記載のＥＴＣ車載器。
【請求項１０】
前記判定手段は、条件（１）〜（４’）が満足されたか否かを、条件（１）から条件（４’）に向かう順番にしたがって順次判定し、
前記制御手段は、前記判定手段によって満足されなかったと判定された時点の条件が条件（２）以後の条件である場合には、前記通知手段に対して当該条件が満足されなかった旨を前記利用料金と併せて通知させる制御を行うこと
を特徴とする請求項８または請求項９に記載のＥＴＣ車載器。
【請求項１１】
前記指定された施設は、スマートＰＡであること
を特徴とする請求項８乃至請求項１０のいずれか１項に記載のＥＴＣ車載器。
【請求項１２】
ＥＴＣ車載器が接続されたナビゲーション装置において、
有料道路の入口の属性情報を含む地図情報を記憶し、
有料道路の利用料金を示す情報を、利用料金の支払いを有料道路の出入口のいずれで行うべきかを示す情報および有料道路の出入口の属性情報と対応付けた状態で記憶し、
前記地図情報および自車位置に基づいて、有料道路の入口付近への自車の到達を検出し、
この検出が行われた際に、前記利用料金を示す情報に基づいて、前記入口付近に対応する入口が有料道路の利用料金の支払いを行うべき入口である場合には、支払うべき利用料金の通知を行う
ナビゲーション装置の料金情報通知方法であって、
指定された出口をＥＴＣを利用して通過した後に、制限時間以内に指定された施設を利用した上での前記指定された出口に対応する指定された入口の通過がＥＴＣを利用して行われた場合に、前記指定された入口における利用料金の支払いが免除される特定の有料道路についての、前記指定された出口の識別情報および前記指定された入口の属性情報を記憶し、
前記指定された出口、施設および入口を順に通過する誘導経路を誘導するナビゲーション装置によって示された誘導経路を自車が走行する場合に、
自車が前記特定の有料道路の出口をＥＴＣを利用して通過する際に、当該出口の  識別情報および通過時刻を前記ＥＴＣ車載器から取得し、
前記指定された施設の利用が行われた旨の情報を前記ＥＴＣ車載器から取得し、
前記地図情報および自車位置に基づいて、前記特定の有料道路の入口付近への自車の到達が検出された場合に、当該入口付近に対応する入口の属性情報、前記指定された出口の識別情報、前記指定された入口の属性情報、前記自車が通過した出口の識別情報、前記自車が通過した出口の通過時刻、前記指定された施設の利用が行  われた旨の情報および現在の時刻に基づいて、次の条件（１）〜（４）、
（１）自車が前記指定された出口をＥＴＣを利用して通過したこと、
（２）自車が前記指定された施設を利用したこと、
（３）前記入口付近に対応する入口が前記指定された出口に対応する前記指定された入口であること、
（４）自車が前記指定された出口を通過してから当該出口に対応する前記指定された入口の前記入口付近に到達するまでの所要時間が前記制限時間よりも短い時間であること、
が満足されたか否かを判定し、
この判定によって条件（１）〜（４）のすべてが満足されたと判定された場合に、前記利用料金の通知を行わないこと
を特徴とするナビゲーション装置の料金情報通知方法。
【請求項１３】
ＥＴＣ車載器が接続されたナビゲーション装置において、
有料道路の入口の属性情報を含む地図情報を記憶し、
有料道路の利用料金を示す情報を、利用料金の支払いを有料道路の出入口のいずれで行うべきかを示す情報および有料道路の出入口の属性情報と対応付けた状態で記憶し、
前記地図情報および自車位置に基づいて、有料道路の入口付近への自車の到達を検出し、
この検出が行われた際に、前記利用料金を示す情報に基づいて、前記入口付近に対応する入口が有料道路の利用料金の支払いを行うべき入口である場合には、支払うべき利用料金の通知を行う
ナビゲーション装置の料金情報通知方法であって、
指定された出口をＥＴＣを利用して通過した後に、制限時間以内に指定された施設を利用した上での前記指定された出口に対応する指定された入口の通過がＥＴＣを利用して行われた場合に、前記指定された入口における利用料金の支払いが免除される特定の有料道路についての、前記指定された出口および前記指定された入口のそれぞれの属性情報を記憶し、
前記指定された出口、施設および入口を順に通過する誘導経路を誘導するナビゲーション装置によって示された誘導経路を自車が走行する場合に、
自車が前記特定の有料道路の出口をＥＴＣを利用して通過する際に、前記地図情報および自車位置に基づいて、当該出口の属性情報を取得するとともに、現在の時刻または前記ＥＴＣ車載器の取得情報に基づいて、当該出口の通過時刻を取得し、
前記指定された施設の利用が行われた旨の情報を前記ＥＴＣ車載器から取得し、
前記地図情報および自車位置に基づいて、前記特定の有料道路の入口付近への自車の到達が検出された場合に、当該入口付近に対応する入口の属性情報、前記指定された出口の属性情報、前記指定された入口の属性情報、前記自車が通過した出口の属性情報、前記自車が通過した出口の通過時刻、前記指定された施設の利用が行われた旨の情報および現在の時刻に基づいて、次の条件（１）〜（４）、
（１）自車が前記指定された出口をＥＴＣを利用して通過したこと、
（２）自車が前記指定された施設を利用したこと、
（３）前記入口付近に対応する入口が前記指定された出口に対応する前記指定された入口であること、
（４）自車が前記指定された出口を通過してから当該出口に対応する前記指定された入口の前記入口付近に到達するまでの所要時間が前記制限時間よりも短い時間であること、
が満足されたか否かを判定し、
この判定によって条件（１）〜（４）のすべてが満足されたと判定された場合に、前記利用料金の通知を行わないこと
を特徴とするナビゲーション装置の料金情報通知方法。
【請求項１４】
前記利用料金の通知を行わない場合に、前記利用料金に代えて前記利用料金が発生しない旨の通知を行うこと
を特徴とする請求項１２または請求項１３に記載のナビゲーション装置の料金情報通知方法。
【請求項１５】
条件（１）〜（４）が満足されたか否かを、条件（１）から条件（４）に向かう順番にしたがって順次判定し、
前記判定によって満足されなかったと判定された時点の条件が条件（２）以後の条件である場合には、当該条件が満足されなかった旨を前記利用料金と併せて通知すること
を特徴とする請求項１２乃至請求項１４のいずれか１項に記載のナビゲーション装置の料金情報通知方法。
【請求項１６】
表示および音声案内の少なくとも一方による通知を行うこと
を特徴とする請求項１２乃至請求項１５のいずれか１項に記載のナビゲーション装置の料金情報通知方法。
【請求項１７】
条件（４）における前記制限時間よりも短い時間を、前記制限時間よりも所定時間以上短い時間とすること
を特徴とする請求項１２乃至請求項１６のいずれか１項に記載のナビゲーション装置の料金情報通知方法。
【請求項１８】
有料道路の利用料金の自動支払いが可能とされたＥＴＣ車載器において、自車が有料道路の入口を通過する際に、当該入口に設置された路側機との通信によって当該有料道路の利用料金の情報が取得された場合に、当該利用料金の通知を行うＥＴＣ車載器の料金情報通知方法であって、
指定された出口をＥＴＣを利用して通過した後に、制限時間以内に指定された施設を利用した上での前記指定された出口に対応する指定された入口の通過がＥＴＣを利用して行われた場合に、前記指定された入口における利用料金の支払いが免除される特定の有料道路についての、前記指定された出口および前記指定された入口のそれぞれの識別情報を記憶し、
前記指定された出口、施設および入口を順に通過する誘導経路を誘導するナビゲーション装置によって示された誘導経路を自車が走行する場合に、
自車が前記特定の有料道路の出口をＥＴＣを利用して通過する際に、当該出口に設置された路側機との通信によって当該出口の識別情報および通過時刻を取得し、
前記指定された施設に設置されたＥＴＣアンテナとの通信に基づいて、前記指定された施設の利用が行われた旨の情報を取得し、
自車が前記特定の有料道路の入口をＥＴＣを利用して通過する際に、当該入口に設置された路側機との通信によって当該入口の識別情報および通過時刻を取得し、
自車が前記特定の有料道路の入口をＥＴＣを利用して通過する際に、前記指定された出口の識別情報、前記指定された入口の識別情報、前記自車が通過した出口の識別情報、前記自車が通過した出口の通過時刻、前記指定された施設の利用が行われた旨の情報、前記自車が通過した入口の識別情報および前記自車が通過した入口の通過時刻に基づいて、次の条件（１）〜（４’）、
（１）自車が前記指定された出口をＥＴＣを利用して通過したこと、
（２）自車が前記指定された施設を利用したこと、
（３’）自車が通過する入口が前記指定された出口に対応する前記指定された入口であること、
（４’）自車が前記指定された出口を通過してから当該出口に対応する前記指定された入口を通過するまでの所要時間が前記制限時間以内の時間であること、
が満足されたか否かを判定し、
この判定によって条件（１）〜（４’）のすべてが満足されたと判定された場合には、前記利用料金の通知を行わないこと
を特徴とするＥＴＣ車載器の料金情報通知方法。
【請求項１９】
前記利用料金の通知を行わない場合に、前記利用料金に代えて前記利用料金が発生しない旨の通知を行うこと
を特徴とする請求項１８に記載のＥＴＣ車載器の料金情報通知方法。
【請求項２０】
条件（１）〜（４’）が満足されたか否かを、条件（１）から条件（４’）に向かう順番にしたがって順次判定し、
前記判定によって満足されなかったと判定された時点の条件が条件（２）以後の条件である場合には、当該条件が満足されなかった旨を前記利用料金と併せて通知すること
を特徴とする請求項１８または請求項１９に記載のＥＴＣ車載器の料金情報通知方法。
【請求項２１】
前記指定された施設は、スマートＰＡであること
を特徴とする請求項１２乃至請求項２０のいずれか１項に記載の料金情報通知方法。
【発明の詳細な説明】
【技術分野】
【０００１】  本発明は、ナビゲーション装置、ＥＴＣ（登録商標）車載器およびこれらの料金情報通知方法に係り、特に、ＥＴＣを活用した有料道路の利用に好適なナビゲーション装置、ＥＴＣ車載器およびこれらの料金情報通知方法に関する。
【背景技術】
【０００２】
従来から、ＥＴＣ車載器においては、ＥＴＣ車載器にＥＴＣカードが挿入された状態で自車が有料道路の出口または入口に設置された路側機を通過する際に、路側機との狭域通信（ＤＳＲＣ：Dedicated Short Range Communications）によって、有料道路の利用料金の自動支払いを行うことが可能とされていた。また、この際に、ＥＴＣ車載器は、路側機から取得した利用料金の情報を音声案内および表示によってユーザに通知するようになっていた。
【０００３】
また、従来から、ナビゲーション装置においても、有料道路の利用料金を音声案内および表示によってユーザに通知することが可能とされていた。なお、ＥＴＣ車載器が接続され、ＥＴＣ車載器と連動可能なナビゲーション装置では、利用料金の通知を、ＥＴＣ車載器に代わってナビゲーション装置側で行うことも可能になっている。
【０００４】
ところで、近年、首都高速道路においては、パーキングエリア（ＰＡ）が設置されていない区間のトイレ休憩等のサービスを補完することを目的として、ＥＴＣを活用したスマートＰＡ（仮称）の運用が検討されており、現段階では、特定のユーザ（モニター）を対象とした実験が行われている。
【０００５】
ここで、スマートＰＡは、首都高速道路の高架下や出入口付近等に設置された予め指定されたトイレや商業施設等の首都高速道路外の施設である。
【０００６】
このスマートＰＡを利用したサービスにおいては、スマートＰＡに対応した首都高速道路の指定された出口をＥＴＣを利用して通過した後に、２時間以内に、スマートＰＡを利用した上で当該指定された首都高速道路の出口に対応した首都高速道路の指定された入口をＥＴＣを利用して通過する場合に、この入口を通過する際の首都高速道路の利用料金の支払い、すなわち、２度目の支払いを免除することが想定されている。なお、現状の実験段階では、入口で一旦２度目の利用料金の徴収処理をした後にこれをキャッシュバックする（すなわち、支払いを事後的に免除する）ことが行われている。また、スマートＰＡの利用は、スマートＰＡに設置されたＥＴＣアンテナとＥＴＣ車載器との通信結果に基づいて確認することができる。
【先行技術文献】
【特許文献】
【０００７】
【特許文献１】特開２００６−２１４９５４号公報
【特許文献２】特許第３７２０６６８号
【発明の概要】
【発明が解決しようとする課題】
【０００８】
前述のように、スマートＰＡを利用したサービスによれば、一定の条件を満足すれば、首都高速道路の２度目の利用料金の支払いが免除されることになる。
【０００９】
しかしながら、現状のＥＴＣ車載器およびナビゲーション装置は、このようなスマートＰＡを利用したサービスに対応しておらず、首都高速道路の２度目の利用料金の支払いが免除される条件が満足された場合であっても、入口の通過時または入口の付近において２度目の利用料金の通知を行ってしまう。
【００１０】
そこで、本発明は、このような点に鑑みなされたものであり、有料道路の利用料金の増額をともなわずに有料道路を一旦降りて有料道路外の施設を利用し、再度有料道路を利用可能なサービスが受けられるにもかかわらず、これに相反した利用料金の通知がなされることによるユーザの混乱を回避することができるナビゲーション装置、ＥＴＣ車載器およびこれらの料金情報通知方法を提供することを目的とするものである。
【課題を解決するための手段】
【００１１】
前述した目的を達成するため、本発明に係る第１の態様のナビゲーション装置は、ＥＴＣ車載器が接続され、有料道路の入口の属性情報を含む地図情報が記憶された地図情報記憶手段と、有料道路の利用料金を示す情報が、利用料金の支払いを有料道路の出入口のいずれで行うべきかを示す情報および有料道路の出入口の属性情報と対応付けられた状態で記憶された利用料金情報記憶手段と、自車位置を検出する自車位置検出手段と、前記地図情報記憶手段に記憶された前記地図情報および前記自車位置検出手段の検出結果に基づいて、有料道路の入口付近への自車の到達を検出する入口付近到達検出手段と、この入口付近到達検出手段によって前記入口付近への自車の到達が検出された際に、前記利用料金情報記憶手段に記憶された情報に基づいて、前記入口付近に対応する入口が有料道路の利用料金の支払いを行うべき入口である場合には、支払うべき利用料金の通知を行う通知手段とを備えたナビゲーション装置であって、指定された出口をＥＴＣを利用して通過した後に、制限時間以内に指定された施設を利用した上での前記指定された出口に対応する指定された入口の通過がＥＴＣを利用して行われた場合に、前記指定された入口における利用料金の支払いが免除される特定の有料道路についての、前記指定された出口の識別情報および前記指定された入口の属性情報が記憶された指定出入口情報記憶手段と、前記指定された出口、施設および入口を順に通過する誘導経路を誘導するナビゲーション部と、自車が前記特定の有料道路の出口をＥＴＣを利用して通過する際に、当該出口の識別情報および通過時刻を前記ＥＴＣ車載器から取得する通過出口情報取得手段と、前記指定された施設の利用が行われた旨の情報を前記ＥＴＣ車載器から取得する指定施設利用情報取得手段と、現在の時刻を取得する現在時刻取得手段と、前記ナビゲーション部によって示された誘導経路を自車が走行する場合において、前記入口付近到達検出手段によって前記特定の有料道路の入口付近への自車の到達が検出された際に、当該入口付近に対応する入口の属性情報と、前記指定出入口情報記憶手段に記憶された情報と、前記通過出口情報取得手段、前記指定施設利用情報取得手段および前記現在時刻取得手段のそれぞれの取得結果とに基づいて、次の条件（１）〜（４）、（１）自車が前記指定された出口をＥＴＣを利用して通過したこと、（２）自車が前記指定された施設を利用したこと、（３）前記入口付近に対応する入口が前記指定された出口に対応する前記指定された入口であること、（４）自車が前記指定された出口を通過してから当該出口に対応する前記指定された入口の前記入口付近に到達するまでの所要時間が前記制限時間よりも短い時間であること、が満足されたか否かを判定する判定手段と、この判定手段によって条件（１）〜（４）のすべてが満足されたと判定された場合に、前記通知手段に対して前記利用料金の通知を禁止する制御を行う制御手段とを備えたことを特徴としている。
【００１２】
また、本発明に係る第２の態様のナビゲーション装置は、ＥＴＣ車載器が接続され、有料道路の入口の属性情報を含む地図情報が記憶された地図情報記憶手段と、有料道路の利用料金を示す情報が、利用料金の支払いを有料道路の出入口のいずれで行うべきかを示す情報および有料道路の出入口の属性情報と対応付けられた状態で記憶された利用料金情報記憶手段と、自車位置を検出する自車位置検出手段と、前記地図情報記憶手段に記憶された前記地図情報および前記自車位置検出手段の検出結果に基づいて、有料道路の入口付近への自車の到達を検出する入口付近到達検出手段と、この入口付近到達検出手段によって前記入口付近への自車の到達が検出された際に、前記利用料金情報記憶手段に記憶された情報に基づいて、前記入口付近に対応する入口が有料道路の利用料金の支払いを行うべき入口である場合には、支払うべき利用料金の通知を行う通知手段とを備えたナビゲーション装置であって、指定された出口をＥＴＣを利用して通過した後に、制限時間以内に指定された施設を利用した上での前記指定された出口に対応する指定された入口の通過がＥＴＣを利用して行われた場合に、前記指定された入口における利用料金の支払いが免除される特定の有料道路についての、前記指定された出口および前記指定された入口のそれぞれの属性情報が記憶された指定出入口情報記憶手段と、前記指定された出口、施設および入口を順に通過する誘導経路を誘導するナビゲーション部と、現在の時刻を取得する現在時刻取得手段と、自車が前記特定の有料道路の出口をＥＴＣを利用して通過する際に、前記地図情報記憶手段に記憶された前記地図情報および前記自車位置検出手段の検出結果に基づいて、当該出口の属性情報を取得するとともに、前記現在時刻取得手段の取得結果または前記ＥＴＣ車載器の取得情報に基づいて、当該出口の通過時刻を取得する通過出口情報取得手段と、前記指定された施設の利用が行われた旨の情報を前記ＥＴＣ車載器から取得する指定施設利用情報取得手段と、前記ナビゲーション部によって示された誘導経路を自車が走行する場合において、前記入口付近到達検出手段によって前記特定の有料道路の入口付近への自車の到達が検出された際に、当該入口付近に対応する入口の属性情報と、前記指定出入口情報記憶手段に記憶された情報と、前記通過出口情報取得手段、前記指定施設利用情報取得手段および前記現在時刻取得手段のそれぞれの取得結果とに基づいて、次の条件（１）〜（４）、（１）自車が前記指定された出口をＥＴＣを利用して通過したこと、（２）自車が前記指定された施設を利用したこと、（３）前記入口付近に対応する入口が前記指定された出口に対応する前記指定された入口であること、（４）自車が前記指定された出口を通過してから当該出口に対応する前記指定された入口の前記入口付近に到達するまでの所要時間が前記制限時間よりも短い時間であること、が満足されたか否かを判定する判定手段と、この判定手段によって条件（１）〜（４）のすべてが満足されたと判定された場合に、前記通知手段に対して前記利用料金の通知を禁止する制御を行う制御手段とを備えたことを特徴としている。
【００１３】
そして、これら第１の態様または第２の態様のナビゲーション装置の構成によれば、条件（１）〜（４）のすべてが満足されれば、特定の有料道路の入口付近において、制御手段の制御の下で、通知手段による利用料金の通知が行われないようにすることができるので、自車が向かっている特定の有料道路の入口における利用料金の支払いが免除されるにもかかわらず、これに相反した利用料金の通知がなされることによるユーザの混乱を回避することができる。
【００１４】
さらに、第１の態様または第２の態様のナビゲーション装置において、前記制御手段は、前記利用料金の通知を禁止する制御を行う際に、前記通知手段に対して、前記利用料金に代えて前記利用料金が発生しない旨を通知させる制御を行ってもよい。そして、このようなナビゲーション装置の構成によれば、条件（１）〜（４）のすべてが満足されれば、特定の有料道路の入口付近において、制御手段の制御の下で、通知手段によって利用料金が発生しない旨の通知を行うことができるので、自車が向かっている特定の有料道路の入口における利用料金の支払いが免除されることをユーザにさらに確実に把握させることができる。
【００１５】
さらにまた、第１の態様または第２の態様のナビゲーション装置において、前記判定手段は、条件（１）〜（４）が満足されたか否かを、条件（１）から条件（４）に向かう順番にしたがって順次判定し、前記制御手段は、前記判定手段によって満足されなかったと判定された時点の条件が条件（２）以後の条件である場合には、前記通知手段に対して当該条件が満足されなかった旨を前記利用料金と併せて通知させる制御を行ってもよい。そして、このようなナビゲーション装置の構成によれば、特定の有料道路の指定された出口を通過したにもかかわらず自車が向かっている特定の有料道路の入口における利用料金の支払いが免除されない場合には、その理由をユーザに確実に把握させることができる。
【００１６】
また、第１の態様または第２の態様のナビゲーション装置において、前記通知手段は、表示および音声案内の少なくとも一方による通知を行ってもよい。そして、このようなナビゲーション装置の構成によれば、自車が向かっている特定の有料道路の入口における利用料金の支払いが免除されるか否かをユーザに確実に把握させることができる。
【００１７】
さらに、第１の態様または第２の態様のナビゲーション装置において、条件（４）における前記制限時間よりも短い時間は、前記制限時間よりも所定時間以上短い時間であってもよい。そして、このようなナビゲーション装置の構成によれば、特定の有料道路の入口付近から当該入口までの距離を考慮して条件（４）を満足する前記所要時間を前記制限時間に対してある程度余裕をもった時間に設定することができるので、入口付近においては前記所要時間が条件（４）を満足したにもかかわらず、入口においては前記制限時間を超過してしまうといった事態が生じることを確実に防止することができる。
【００１８】
さらにまた、第１の態様または第２の態様のナビゲーション装置において、前記指定された施設は、スマートＰＡであってもよい。そして、このようなナビゲーション装置の構成によれば、スマートＰＡを利用したサービスが受けられることをユーザに確実に把握させることができる。
【００１９】
本発明に係るＥＴＣ車載器は、指定された出口、施設および入口を順に通過する誘導経路を誘導するナビゲーション装置と接続され、有料道路の利用料金の自動支払いが可能とされ、自車が有料道路の入口を通過する際に、当該入口に設置された路側機との通信によって当該有料道路の利用料金の情報が取得された場合に、当該利用料金の通知を行う通知手段を備えたＥＴＣ車載器であって、指定された出口をＥＴＣを利用して通過した後に、制限時間以内に指定された施設を利用した上での前記指定された出口に対応する指定された入口の通過がＥＴＣを利用して行われた場合に、前記指定された入口における利用料金の支払いが免除される特定の有料道路についての、前記指定された出口および前記指定された入口のそれぞれの識別情報が記憶された指定出入口情報記憶手段と、自車が前記特定の有料道路の出口をＥＴＣを利用して通過する際に、当該出口に設置された路側機との通信によって当該出口の識別情報および通過時刻を取得する通過出口情報取得手段と、前記指定された施設に設置されたＥＴＣアンテナとの通信に基づいて、前記指定された施設の利用が行われた旨の情報を取得する指定施設利用情報取得手段と、自車が前記特定の有料道路の入口をＥＴＣを利用して通過する際に、当該入口に設置された路側機との通信によって当該入口の識別情報および通過時刻を取得する通過入口情報取得手段と、自車が前記特定の有料道路の入口をＥＴＣを利用して通過する際に、前記指定出入口情報記憶手段に記憶された情報と、前記通過出口情報取得手段、前記指定施設利用情報取得手段および前記通過入口情報取得手段のそれぞれの取得結果とに基づいて、次の条件（１）〜（４’）、（１）自車が前記指定された出口をＥＴＣを利用して通過したこと、（２）自車が前記指定された施設を利用したこと、（３’）自車が通過する入口が前記指定された出口に対応する前記指定された入口であること、（４’）自車が前記指定された出口を通過してから当該出口に対応する前記指定された入口を通過するまでの所要時間が前記制限時間以内の時間であること、が満足されたか否かを判定する判定手段と、この判定手段によって条件（１）〜（４’）のすべてが満足されたと判定された場合に、前記通知手段に対して前記利用料金の通知を禁止する制御を行う制御手段とを備えたことを特徴としている。
【００２０】
そして、このようなＥＴＣ車載器の構成によれば、条件（１）〜（４’）のすべてが満足されれば、制御手段の制御の下で、特定の有料道路の入口を通過する際の通知手段による利用料金の通知が行われないようにすることができるので、自車が通過している特定の有料道路の入口における利用料金の支払いが免除されるにもかかわらず、これに相反した利用料金の通知がなされることによるユーザの混乱を回避することができる。
【００２１】
また、ＥＴＣ車載器の構成において、前記制御手段は、前記利用料金の通知を禁止する制御を行う際に、前記通知手段に対して、前記利用料金に代えて前記利用料金が発生しない旨を通知させる制御を行ってもよい。そして、このようなＥＴＣ車載器の構成によれば、自車が通過している特定の有料道路の入口における利用料金の支払いが免除されることをユーザにさらに確実に把握させることができる。
【００２２】
さらに、ＥＴＣ車載器の構成において、前記判定手段は、条件（１）〜（４’）が満足されたか否かを、条件（１）から条件（４’）に向かう順番にしたがって順次判定し、前記制御手段は、前記判定手段によって満足されなかったと判定された時点の条件が条件（２）以後の条件である場合には、前記通知手段に対して当該条件が満足されなかった旨を前記利用料金と併せて通知させる制御を行ってもよい。そして、このようなＥＴＣ車載器の構成によれば、特定の有料道路の指定された出口を通過したにもかかわらず自車が通過している特定の有料道路の入口における利用料金の支払いが免除されない場合には、その理由をユーザに確実に把握させることができる。
【００２３】
さらにまた、ＥＴＣ車載器の構成において、前記指定された施設は、スマートＰＡであってもよい。そして、このようなＥＴＣ車載器の構成によれば、スマートＰＡを利用したサービスが受けられることをユーザに確実に把握させることができる。
【００２４】
本発明に係る第１の態様のナビゲーション装置の料金情報通知方法は、ＥＴＣ車載器が接続されたナビゲーション装置において、有料道路の入口の属性情報を含む地図情報を記憶し、有料道路の利用料金を示す情報を、利用料金の支払いを有料道路の出入口のいずれで行うべきかを示す情報および有料道路の出入口の属性情報と対応付けた状態で記憶し、前記地図情報および自車位置に基づいて、有料道路の入口付近への自車の到達を検出し、この検出が行われた際に、前記利用料金を示す情報に基づいて、前記入口付近に対応する入口が有料道路の利用料金の支払いを行うべき入口である場合には、支払うべき利用料金の通知を行うナビゲーション装置の料金情報通知方法であって、指定された出口をＥＴＣを利用して通過した後に、制限時間以内に指定された施設を利用した上での前記指定された出口に対応する指定された入口の通過がＥＴＣを利用して行われた場合に、前記指定された入口における利用料金の支払いが免除される特定の有料道路についての、前記指定された出口の識別情報および前記指定された入口の属性情報を記憶し、前記指定された出口、施設および入口を順に通過する誘導経路を誘導するナビゲーション装置によって示された誘導経路を自車が走行する場合に、自車が前記特定の有料道路の出口をＥＴＣを利用して通過する際に、当該出口の識別情報および通過時刻を前記ＥＴＣ車載器から取得し、前記指定された施設の利用が行われた旨の情報を前記ＥＴＣ車載器から取得し、前記地図情報および自車位置に基づいて、前記特定の有料道路の入口付近への自車の到達が検出された場合に、当該入口付近に対応する入口の属性情報、前記指定された出口の識別情報、前記指定された入口の属性情報、前記自車が通過した出口の識別情報、前記自車が通過した出口の通過時刻、前記指定された施設の利用が行われた旨の情報および現在の時刻に基づいて、次の条件（１）〜（４）、（１）自車が前記指定された出口をＥＴＣを利用して通過したこと、（２）自車が前記指定された施設を利用したこと、（３）前記入口付近に対応する入口が前記指定された出口に対応する前記指定された入口であること、（４）自車が前記指定された出口を通過してから当該出口に対応する前記指定された入口の前記入口付近に到達するまでの所要時間が前記制限時間よりも短い時間であること、が満足されたか否かを判定し、この判定によって条件（１）〜（４）のすべてが満足されたと判定された場合に、前記利用料金の通知を行わないことを特徴としている。
【００２５】
さらに、本発明に係る第２の態様のナビゲーション装置の料金情報通知方法は、ＥＴＣ車載器が接続されたナビゲーション装置において、有料道路の入口の属性情報を含む地図情報を記憶し、有料道路の利用料金を示す情報を、利用料金の支払いを有料道路の出入口のいずれで行うべきかを示す情報および有料道路の出入口の属性情報と対応付けた状態で記憶し、前記地図情報および自車位置に基づいて、有料道路の入口付近への自車の到達を検出し、この検出が行われた際に、前記利用料金を示す情報に基づいて、前記入口付近に対応する入口が有料道路の利用料金の支払いを行うべき入口である場合には、支払うべき利用料金の通知を行うナビゲーション装置の料金情報通知方法であって、指定された出口をＥＴＣを利用して通過した後に、制限時間以内に指定された施設を利用した上での前記指定された出口に対応する指定された入口の通過がＥＴＣを利用して行われた場合に、前記指定された入口における利用料金の支払いが免除される特定の有料道路についての、前記指定された出口および前記指定された入口のそれぞれの属性情報を記憶し、前記指定された出口、施設および入口を順に通過する誘導経路を誘導するナビゲーション装置によって示された誘導経路を自車が走行する場合に、自車が前記特定の有料道路の出口をＥＴＣを利用して通過する際に、前記地図情報および自車位置に基づいて、当該出口の属性情報を取得するとともに、現在の時刻または前記ＥＴＣ車載器の取得情報に基づいて、当該出口の通過時刻を取得し、前記指定された施設の利用が行われた旨の情報を前記ＥＴＣ車載器から取得し、前記地図情報および自車位置に基づいて、前記特定の有料道路の入口付近への自車の到達が検出された場合に、当該入口付近に対応する入口の属性情報、前記指定された出口の属性情報、前記指定された入口の属性情報、前記自車が通過した出口の属性情報、前記自車が通過した出口の通過時刻、前記指定された施設の利用が行われた旨の情報および現在の時刻に基づいて、次の条件（１）〜（４）、（１）自車が前記指定された出口をＥＴＣを利用して通過したこと、（２）自車が前記指定された施設を利用したこと、（３）前記入口付近に対応する入口が前記指定された出口に対応する前記指定された入口であること、（４）自車が前記指定された出口を通過してから当該出口に対応する前記指定された入口の前記入口付近に到達するまでの所要時間が前記制限時間よりも短い時間であること、が満足されたか否かを判定し、この判定によって条件（１）〜（４）のすべてが満足されたと判定された場合に、前記利用料金の通知を行わないことを特徴としている。
【００２６】
そして、これら第１の態様または第２の態様のナビゲーション装置の料金情報通知方法によれば、条件（１）〜（４）のすべてが満足されれば、特定の有料道路の入口付近において、利用料金の通知が行われないようにすることができるので、自車が向かっている特定の有料道路の入口における利用料金の支払いが免除されるにもかかわらず、これに相反した利用料金の通知がなされることによるユーザの混乱を回避することができる。
【００２７】
さらにまた、第１の態様または第２の態様のナビゲーション装置の料金情報通知方法において、前記利用料金の通知を行わない場合に、前記利用料金に代えて前記利用料金が発生しない旨の通知を行ってもよい。そして、このような方法によれば、条件（１）〜（４）のすべてが満足されれば、特定の有料道路の入口付近において、利用料金が発生しない旨の通知を行うことができるので、自車が向かっている特定の有料道路の入口における利用料金の支払いが免除されることをユーザにさらに確実に把握させることができる。
【００２８】
また、第１の態様または第２の態様のナビゲーション装置の料金情報通知方法において、条件（１）〜（４）が満足されたか否かを、条件（１）から条件（４）に向かう順番にしたがって順次判定し、前記判定によって満足されなかったと判定された時点の条件が条件（２）以後の条件である場合には、当該条件が満足されなかった旨を前記利用料金と併せて通知してもよい。そして、このような方法によれば、特定の有料道路の指定された出口を通過したにもかかわらず自車が向かっている特定の有料道路の入口における利用料金の支払いが免除されない場合には、その理由をユーザに確実に把握させることができる。
【００２９】
さらに、第１の態様または第２の態様のナビゲーション装置の料金情報通知方法において、表示および音声案内の少なくとも一方による通知を行ってもよい。そして、このような方法によれば、自車が向かっている特定の有料道路の入口における利用料金の支払いが免除されるか否かをユーザに確実に把握させることができる。
【００３０】
さらにまた、第１の態様または第２の態様のナビゲーション装置の料金情報通知方法において、条件（４）における前記制限時間よりも短い時間を、前記制限時間よりも所定時間以上短い時間としてもよい。そして、このような方法によれば、特定の有料道路の入口付近から当該入口までの距離を考慮して条件（４）を満足する前記所要時間を前記制限時間に対してある程度余裕をもった時間に設定することができるので、入口付近においては前記所要時間が条件（４）を満足したにもかかわらず、入口においては前記制限時間を超過してしまうといった事態が生じることを確実に防止することができる。
【００３１】
本発明に係るＥＴＣ車載器の料金情報通知方法は、有料道路の利用料金の自動支払いが可能とされたＥＴＣ車載器において、自車が有料道路の入口を通過する際に、当該入口に設置された路側機との通信によって当該有料道路の利用料金の情報が取得された場合に、当該利用料金の通知を行うＥＴＣ車載器の料金情報通知方法であって、指定された出口をＥＴＣを利用して通過した後に、制限時間以内に指定された施設を利用した上での前記指定された出口に対応する指定された入口の通過がＥＴＣを利用して行われた場合に、前記指定された入口における利用料金の支払いが免除される特定の有料道路についての、前記指定された出口および前記指定された入口のそれぞれの識別情報を記憶し、前記指定された出口、施設および入口を順に通過する誘導経路を誘導するナビゲーション装置によって示された誘導経路を自車が走行する場合に、自車が前記特定の有料道路の出口をＥＴＣを利用して通過する際に、当該出口に設置された路側機との通信によって当該出口の識別情報および通過時刻を取得し、前記指定された施設に設置されたＥＴＣアンテナとの通信に基づいて、前記指定された施設の利用が行われた旨の情報を取得し、自車が前記特定の有料道路の入口をＥＴＣを利用して通過する際に、当該入口に設置された路側機との通信によって当該入口の識別情報および通過時刻を取得し、自車が前記特定の有料道路の入口をＥＴＣを利用して通過する際に、前記指定された出口の識別情報、前記指定された入口の識別情報、前記自車が通過した出口の識別情報、前記自車が通過した出口の通過時刻、前記指定された施設の利用が行われた旨の情報、前記自車が通過した入口の識別情報および前記自車が通過した入口の通過時刻に基づいて、次の条件（１）〜（４’）、（１）自車が前記指定された出口をＥＴＣを利用して通過したこと、（２）自車が前記指定された施設を利用したこと、（３’）自車が通過する入口が前記指定された出口に対応する前記指定された入口であること、（４’）自車が前記指定された出口を通過してから当該出口に対応する前記指定された入口を通過するまでの所要時間が前記制限時間以内の時間であること、が満足されたか否かを判定し、この判定によって条件（１）〜（４’）のすべてが満足されたと判定された場合には、前記利用料金の通知を行わないことを特徴としている。
【００３２】
そして、このようなＥＴＣ車載器の料金情報通知方法によれば、条件（１）〜（４’）のすべてが満足されれば、特定の有料道路の入口を通過する際の利用料金の通知を行わないようにすることができるので、自車が通過している特定の有料道路の入口における利用料金の支払いが免除されるにもかかわらず、これに相反した利用料金の通知がなされることによるユーザの混乱を回避することができる。
【００３３】
また、ＥＴＣ車載器の料金情報通知方法において、前記利用料金の通知を行わない場合に、前記利用料金に代えて前記利用料金が発生しない旨の通知を行ってもよい。そして、このような方法によれば、自車が通過している特定の有料道路の入口における利用料金の支払いが免除されることをユーザにさらに確実に把握させることができる。
【００３４】
さらに、ＥＴＣ車載器の料金情報通知方法において、条件（１）〜（４’）が満足されたか否かを、条件（１）から条件（４’）に向かう順番にしたがって順次判定し、前記判定によって満足されなかったと判定された時点の条件が条件（２）以後の条件である場合には、当該条件が満足されなかった旨を前記利用料金と併せて通知してもよい。そして、このような方法によれば、特定の有料道路の指定された出口を通過したにもかかわらず自車が通過している特定の有料道路の入口における利用料金の支払いが免除されない場合には、その理由をユーザに確実に把握させることができる。
【００３５】
さらにまた、ナビゲーション装置またはＥＴＣ車載器の料金情報通知方法において、前記指定された施設は、スマートＰＡであってもよい。そして、このような方法によれば、スマートＰＡを利用したサービスが受けられることをユーザに確実に把握させることができる。
【発明の効果】
【００３６】
本発明によれば、有料道路の利用料金の増額をともなわずに有料道路を一旦降りて有料道路外の施設を利用し、再度有料道路を利用可能なサービスが受けられるにもかかわらず、これに相反した利用料金の通知がなされることによるユーザの混乱を回避することができる。
【図面の簡単な説明】
【００３７】
【図１】本発明に係るナビゲーション装置の実施形態を示す構成図
【図２】図１のナビゲーション装置のブロック図
【図３】本発明に係るナビゲーション装置の料金情報通知方法の実施形態を示すフローチャート
【図４】本発明に係るＥＴＣ車載器の実施形態を示す構成図
【図５】図４のＥＴＣ車載器のブロック図
【図６】本発明に係るＥＴＣ車載器の料金情報通知方法の実施形態を示すフローチャート
【発明を実施するための形態】
【００３８】
（ナビゲーション装置およびその料金情報通知方法の実施形態）
以下、本発明に係るナビゲーション装置の実施形態について図１および図２を参照して説明する。
【００３９】
図１に示すように、本実施形態におけるナビゲーション装置１は、大別して、ナビゲーションメインユニット２と、このナビゲーションメインユニット２にそれぞれ接続されたＧＰＳレシーバ３、自律航法センサ４、操作部５、ディスプレイ６およびスピーカ７とによって構成されている。
【００４０】
また、図１に示すように、ナビゲーションメインユニット２には、ナビゲーション装置１に対応する機種のＥＴＣ車載器８が接続されており、ナビゲーション装置１は、このＥＴＣ車載器８に連動可能とされている。なお、ＥＴＣ車載器８は、アンテナ一体型、アンテナ分離型またはカーナビ一体型のいずれであってもよい。
【００４１】
ここで、ＧＰＳレシーバ３は、図示しないＧＰＳ衛星から配信されるＧＰＳ情報（時刻や軌道に関する情報）を受信し、受信したＧＰＳ情報をナビゲーションメインユニット２側に出力するようになっている。
【００４２】
また、自律航法センサ４は、自車の車速、加速度（角速度）および方位等を検出し、検出結果をナビゲーションメインユニット２側に出力するようになっている。この自律航法センサ４は、車速センサやジャイロセンサ等からなるものであってもよい。
【００４３】
さらに、操作部５は、ナビゲーション装置１に対する種々の入力操作に用いられるようになっている。この操作部５は、リモコン、ディスプレイ６のタッチパネル、リニアエンコーダ、ロータリエンコーダまたは音声入力用のマイク等であってもよい。
【００４４】
次に、ナビゲーションメインユニット２について詳述すると、図１に示すように、ナビゲーションメインユニット２は、システムバス１０にそれぞれ接続されたＣＰＵ１１、ハードディスクドライブ（ＨＤＤ）１２、フラッシュメモリ１４、ＲＡＭ１５、ＥＴＣ車載器インターフェース（Ｉ／Ｆ）１６、ユーザインターフェース（Ｉ／Ｆ）１７、画像インターフェース（Ｉ／Ｆ）１８および音声インターフェース（Ｉ／Ｆ）１９を有している。
【００４５】
ここで、ＣＰＵ１１は、有料道路の料金通知等のＥＴＣ車載器８に連動したナビゲーション装置１の各種の機能や、経路探索や経路誘導等のナビゲーション装置１に独自の機能を実行するようになっている。
【００４６】
また、ハードディスクドライブ１２には、ＣＰＵ１１の実行プログラムおよび地図データ（すなわち地図情報）が記憶されている。したがって、ハードディスクドライブ１２は、地図情報記憶手段としての機能を有している。なお、地図データには、道路を示す道路データ、河川や緑地等の背景を示す背景データ、経路探索用の経路計算データ（道路ネットワークデータ等）および目的地検索や周辺施設検索等を行うための検索データが含まれている。このうち、道路データは、リンク、リンクＩＤ、ノード、ノードＩＤ、通行条件および道路名称等をデータ構成要素としている。また、背景データは、点、ポリラインおよびポリゴン等をデータ構成要素としている。さらに、経路計算データは、リンク、ノードおよび通行条件等をデータ構成要素としている。さらにまた、検索データは、住所、郵便番号およびＰＯＩ（Point of Interest）情報等をデータ構成要素としている。なお、ＰＯＩ情報は、施設等のＰＯＩの属性（例えば、位置、名称、種別、住所およびＰＯＩに紐付けられたリンクのリンクＩＤ等）を示す属性情報である。ＰＯＩ情報に示される施設には、有料道路の出入口も含まれている。
【００４７】
さらに、本実施形態において、ハードディスクドライブ１２は、利用料金情報記憶手段としての機能を有している。すなわち、ハードディスクドライブ１２には、有料道路の利用料金を示す情報が、利用料金の支払いを有料道路の出入口のいずれで行うべきかを示す情報および有料道路の出入口の属性情報と対応付けられてなる情報（以下、利用料金関連情報と称する）が記憶されている。利用料金関連情報は、各地域の有料道路ごとに個別の利用料金を示しており、この利用料金は、同一名称の有料道路においてその区間（すなわち、互いに隣接するインターチェンジ同士の間）ごとに異なる場合もあるし、または、例えば、首都高速道路に属する路線のように、各区間で均一な場合もある。また、利用料金は、車種、利用時間帯、走行距離およびＥＴＣの利用の有無に応じて異なることもある。さらに、利用料金の支払いを有料道路の出入口のいずれで行うべきかを示す情報（以下、支払い料金所情報と称する）は、この支払い料金所情報に対応する有料道路がその各区間で利用料金が均一である場合には、入口を示すことが多い。一方、支払い料金所情報は、対応する有料道路がその各区間で利用料金が異なる場合には、出口を示すことが多い。さらにまた、利用料金関連情報が示す出入口の属性には、出入口の位置、住所、名称、種別および出入口が属する有料道路の名称等が含まれている。
【００４８】
さらにまた、本実施形態において、ハードディスクドライブ１２は、指定出入口情報記憶手段としての機能を有している。すなわち、ハードディスクドライブ１２には、指定出入口情報が記憶されている。ただし、本実施形態における指定出入口情報は、指定された施設に対応する指定された出口をＥＴＣを利用して通過した後に、制限時間以内に前記指定された施設を利用した上での前記指定された出口に対応する指定された入口の通過がＥＴＣを利用して行われた場合に、前記指定された入口における利用料金の支払いが免除される特定の有料道路についての、前記指定された出口の識別情報および前記指定された入口の属性情報を含む情報である。なお、「指定された」とは、当該利用料金の支払いが免除されるサービスの運用上予め指定されているという意味である。また、指定された出口の識別情報と、この指定された出口に対応する指定された入口の属性情報とは、互いに対応付けがなされた状態（例えば、共通のＩＤが付された状態）で記憶されている。指定出入口情報は、地図データと一体の情報であってもよい。この場合には、地図データにおける指定された出口／入口に該当するＰＯＩ情報に、指定された出口／入口であることを示す情報（例えば、フラグ）を対応付け、また、指定された出口についてはその識別情報を対応付けることによって指定出入口情報を構成してもよい。
【００４９】
なお、前記指定された施設（以下、指定施設と称する）としては、スマートＰＡを挙げることができ、前記特定の有料道路（以下、特定有料道路と称する）としては、首都高速道路を挙げることができる。また、前記指定された出口（以下、指定出口と称する）の識別情報は、指定出口の料金所番号であってもよい。さらに、前記指定された入口（以下、指定入口と称する）の属性情報は、指定入口の位置、名称、住所および指定入口が属する有料道路の名称等を含む情報であってもよい。
【００５０】
また、フラッシュメモリ１４には、ナビゲーション装置１の起動とともにＣＰＵ１１によってハードディスクドライブ１２から読み出されたＣＰＵ１１の実行プログラムが格納されるようになっており、この格納された実行プログラムがＣＰＵ１１によって適宜実行されることによって、ナビゲーション装置１の各種の機能が適宜実行されるようになっている。
【００５１】
さらに、ＲＡＭ１５は、ＣＰＵ１１による処理結果等の各種のデータの一時的な保存等に用いられるようになっている。
【００５２】
さらにまた、ＥＴＣ車載器インターフェース１６、ユーザインターフェース１７、画像インターフェース１８および音声インターフェース１９には、ＥＴＣ車載器８、操作部５、ディスプレイ６およびスピーカ７がそれぞれ接続されている。
【００５３】
次に、ＣＰＵ１１について更に詳述すると、図２に示すように、ＣＰＵ１１は、その機能ブロックの１つとしての通過出入口情報取得部２１を有している。
【００５４】
この通過出入口情報取得部２１には、ＥＴＣ車載器８にＥＴＣカードが挿入された状態で自車が有料道路の入口（ＥＴＣ入口ゲート）を通過する際に、ＥＴＣ車載器８と当該入口に設置された路側機との通信（ＤＳＲＣ）によってＥＴＣ車載器８が取得した有料道路の入口の情報（以下、通過入口情報と称する）が、ＥＴＣ車載器８側から入力されるようになっている。これにより、通過出入口情報取得部２１による通過入口情報の取得が行われるようになっている。なお、通過入口情報には、当該入口の通過時刻および識別情報（例えば、料金所番号）が含まれている。
【００５５】
また、通過出入口情報取得部２１には、ＥＴＣ車載器８にＥＴＣカードが挿入された状態で自車が有料道路の出口（ＥＴＣ出口ゲート）を通過する際に、ＥＴＣ車載器８と当該出口に設置された路側機との通信によってＥＴＣ車載器８が取得した有料道路の出口の情報（以下、通過出口情報と称する）が、ＥＴＣ車載器８側から入力されるようになっている。これにより、通過出入口情報取得部２１による通過出口情報の取得が行われるようになっている。なお、通過出口情報には、当該出口の通過時刻および識別情報（例えば、料金所番号）が含まれている。
【００５６】
特に、本実施形態において、通過出入口情報取得部２１は、ＥＴＣ車載器８にＥＴＣカードが挿入された状態で自車が特定有料道路のＥＴＣ出口ゲートを通過する際すなわち自車が特定有料道路の出口をＥＴＣを利用して通過する際に、通過出口情報取得手段として機能し、特定有料道路の通過出口情報を取得するようになっている。
【００５７】
さらに、図２に示すように、ＣＰＵ１１は、その機能ブロックの１つとしてのナビゲーション部２３を有しており、このナビゲーション部２３は、目的地までの誘導経路にしたがった経路誘導（ナビゲーション）のための種々の機能を実行するようになっている。このようなナビゲーションのための一機能を実行する機能ブロックとして、図２に示すように、ナビゲーション部２３は、自車位置検出手段としての自車位置検出部２４を有している。自車位置検出部２４には、ＧＰＳレシーバ３から出力されたＧＰＳ情報および自律航法センサ４から出力された検出結果が入力されるようになっている。そして、自車位置検出部２４は、ＧＰＳレシーバ３側から入力されたＧＰＳ情報に基づいて、自車位置を絶対座標として検出する衛星航法を行うようになっている。また、自車位置検出部２４は、自律航法センサ４側から入力された検出結果に基づいて、自車位置を前回の測位位置からの変化分である相対位置として検出する自律航法を行うようになっている。さらに、自車位置検出部２４は、ハードディスクドライブ１２に記憶されている地図データを用いることによって、衛星航法または自律航法によって検出された自車位置を地図データにおける該当する道路上の位置に補正するマップマッチング処理を行うようになっている。そして、自車位置検出部２４は、マップマッチング処理が適正に行われた場合には、マップマッチング処理後の自車位置を最終的な検出結果とするようになっている。
【００５８】
この他にも、ナビゲーション部２３は、操作部５の操作にともなった目的地の設定、設定された目的地までの最適経路の探索、探索された最適経路を誘導経路とした経路誘導等の機能を、地図データを適宜用いることによって実行するようになっている。
【００５９】
さらにまた、図２に示すように、ＣＰＵ１１は、その機能ブロックの１つとしての出入口付近到達検出部２６を有している。出入口付近到達検出部２６は、入口付近到達検出手段として機能し、ハードディスクドライブ１２に記憶された地図データおよび自車位置検出部２４の検出結果に基づいて、有料道路の入口付近（例えば、入口の数百メートル手前の地点）への自車の到達を検出するようになっている。この検出は、自車位置の付近の所定の領域（例えば、自車位置に対する進行方向前方側の所定距離内の領域）を検索領域として、有料道路の入口に該当する属性情報を有するＰＯＩの周辺検索を行い、この周辺検索の結果として検出してもよい。また、出入口付近到達検出部２６は、有料道路の入口付近への自車の到達の検出と同様の手法によって、有料道路の出口付近への自車の到達を検出するようになっている。
【００６０】
また、図２に示すように、ＣＰＵ１１は、その機能ブロックの１つとして、通知手段としての料金情報通知部２２を有している。この料金情報通知部２２は、出入口付近到達検出部２６によって有料道路の入口付近への自車の到達が検出された場合に、ハードディスクドライブ１２に記憶された利用料金関連情報のうちの当該入口付近に対応する入口の属性情報に対応する情報に基づいて、当該入口付近に対応する入口において利用料金を支払うべきか否かを判断するようになっている。そして、支払うべきと判断された場合には、該当する利用料金を、ディスプレイ６への表示およびスピーカ７を介した音声案内の少なくとも一方によってユーザに通知するようになっている。
【００６１】
一方、料金情報通知部２２は、出入口付近到達検出部２６によって有料道路の出口付近への自車の到達が検出された場合に、ハードディスクドライブ１２に記憶された利用料金関連情報のうちの当該出口付近に対応する出口の属性情報に対応する情報に基づいて、当該出口付近に対応する出口において利用料金を支払うべきか否かを判断するようになっている。そして、支払うべきと判断された場合には、該当する利用料金を、ディスプレイ６への表示およびスピーカ７を介した音声案内の少なくとも一方によってユーザに通知するようになっている。
【００６２】
このようにして、ＥＴＣ車載器８に連動した処理として、料金情報通知部２２による利用料金関連情報に基づいた利用料金の通知が行われるようになっている。なお、このように、ナビゲーション装置１をＥＴＣ車載器８に連動させる場合には、ＥＴＣ車載器８側における音声案内による料金通知は公知技術を用いて禁止される物も存在する。
【００６３】
さらに、図２に示すように、ＣＰＵ１１は、その機能ブロックの１つとして、指定施設利用情報取得手段としての指定施設利用情報取得部２５を有している。指定施設利用情報取得部２５には、ＥＴＣ車載器８にＥＴＣカードが挿入された状態で自車が指定施設におけるＥＴＣアンテナの設置位置を通過する際に、ＥＴＣ車載器８とＥＴＣアンテナ（指定施設の路側機）との通信によってＥＴＣ車載器８が取得した指定施設の利用が行われた旨の情報（以下、指定施設利用情報と称する）が、ＥＴＣ車載器８側から入力されるようになっている。これにより、指定施設利用情報取得部２５による指定施設利用情報の取得が行われるようになっている。なお、指定施設利用情報には、指定施設の利用時刻（例えば、ＥＴＣアンテナとの通信時刻）や識別情報（例えば、ＥＴＣアンテナの番号）が含まれていてもよい。
【００６４】
さらにまた、図２に示すように、ＣＰＵ１１は、その機能ブロックの１つとして、現在時刻取得手段としての現在時刻取得部２７を有しており、この現在時刻取得部２７は、ＧＰＳ情報やナビゲーション装置１に備えられたラジオ受信機能によって受信されたラジオ放送の時報等に基づいて、現在の時刻を取得するようになっている。
【００６５】
また、図２に示すように、ＣＰＵ１１は、その機能ブロックの１つとして、判定手段としての判定部２８を有している。
【００６６】
この判定部２８は、出入口付近到達検出部２６によって特定有料道路の入口付近への自車の到達が検出された際に、次の条件（１）〜（４）が満足されたか否かを判定するようになっている。ここで、出入口付近到達検出部２６によって自車の到達が検出された入口付近に対応する入口が特定有料道路の入口であることについては、例えば、判定部２８が、予め特定有料道路の属性情報を保持しておいた上で、この保持された属性情報を出入口付近到達検出部２６の検出結果に対応する入口の識別情報と比較することによって判断すればよい。
【００６７】
また、判定部２８は、条件（１）〜（４）が満足されたか否かの判定を、条件（１）から条件（４）に向かう順番にしたがって順次判定するようになっている。なお、条件（２）以後の判定は、その直前の判定において肯定的な判定結果が得られた場合にのみ行えばよい。
【００６８】
（１）自車が指定出口をＥＴＣを利用して通過したこと。
【００６９】
（２）自車が指定施設を利用したこと。
【００７０】
（３）前記入口付近に対応する入口が、指定出口に対応する指定入口であること。
【００７１】
（４）自車が指定出口を通過してから当該出口に対応する指定入口の入口付近に到達するまでの所要時間が制限時間よりも短い時間であること。
【００７２】
なお、条件（４）の制限時間は、指定施設をスマートＰＡとする場合には、このスマートＰＡを利用したサービスにおいて定められている制限時間である２時間とすればよい。また、条件（４）の前記制限時間よりも短い時間は、前記制限時間よりも所定時間以上短い時間としてもよい。この場合に、当該所定時間については、入口付近とみなす自車位置から入口までの距離に応じた好適な時間（例えば、１分）を設定すればよい。
【００７３】
これら条件（１）〜（４）が満足されたか否かの判定は、前記入口付近に対応する入口の属性情報と、ハードディスクドライブ１２に記憶された指定出入口情報と、通過出入口情報取得部２１によって取得された通過出口情報と、指定施設利用情報取得部２５によって取得された指定施設利用情報と、現在時刻取得部２７によって取得された現在の時刻とに基づいて行うようになっている。
【００７４】
例えば、条件（１）が満足されたか否かの判定は、通過出入口情報取得部２１によって通過出口情報が取得されており、この通過出口情報に含まれる出口の識別情報と、ハードディスクドライブ１２に記憶された指定出入口情報に含まれる指定出口の識別情報とを照合した結果、両者が一致するか否かに基づいて行うことができる。
【００７５】
また、条件（２）が満足されたか否かの判定は、指定施設利用情報取得部２５によって指定施設利用情報が取得されたか否かに基づいて行うことができる。ただし、条件（２）が満足されたことの判断基準として、指定施設利用情報に含まれる指定施設の利用時刻が、条件（１）の判定において通過したと判定された指定出口の通過時刻よりも遅い時刻であることを含めてもよい。
【００７６】
さらに、条件（３）が満足されたか否かの判定は、出入口付近到達検出部２６によって検出された入口付近に対応する入口の属性情報と、ハードディスクドライブ１２に記憶された指定出入口情報に含まれる指定入口の属性情報とを照合して両者が一致し、その上で、この指定入口の属性情報が、条件（１）の判定において通過したと判定された指定出口の識別情報との対応付けがなされているか否かに基づいて行うことができる。
【００７７】
さらにまた、条件（４）が満足されたか否かは、前記入口付近における現在の時刻から条件（１）の判定において通過したと判定された指定出口の通過時刻を減じることによって前記所要時間を算出した上で、算出された前記所要時間を予め設定された前記制限時間と比較することによって行うことができる。
【００７８】
さらに、図２に示すように、ＣＰＵ１１は、その機能ブロックの１つとしての通知制御部３０を有している。通知制御部３０は、判定部２８によって条件（１）〜（４）のすべてが満足されたと判定された場合に、料金情報通知部２２に対して、前述した利用料金関連情報に基づいた利用料金の通知を禁止する制御を行うようになっている。
【００７９】
したがって、本実施形態によれば、条件（１）〜（４）のすべてが満足されれば、特定有料道路の入口付近において、料金情報通知部２２による利用料金の通知は行われないことになる。
【００８０】
なお、通知制御部３０は、このような利用料金の通知を禁止する制御を行う際に、料金情報通知部２２に対して、利用料金が発生しない旨を表示および音声案内の少なくとも一方によって通知させる制御を行うようにしてもよい。
【００８１】
このように構成すれば、条件（１）〜（４）のすべてが満足されれば、特定有料道路の入口付近において、料金情報通知部２２により、利用料金が発生しない旨の通知が行われることになる。
【００８２】
また、通知制御部３０は、条件（１）〜（４）の順次判定において満足されていないと判定された条件が条件（２）以後の条件の場合には、料金情報通知部２２に対して当該条件が満足されなかった旨を利用料金と併せて通知させる制御を行うようにしてもよい。
【００８３】
このように構成すれば、条件（２）〜（４）のいずれかが満足されなかった場合には、その旨が利用料金とともに料金情報通知部２２によって通知されることになる。
【００８４】
次に、前述したナビゲーション装置１を適用したナビゲーション装置の料金情報通知方法の実施形態について、図３を参照して説明する。なお、初期状態において、自車が特定有料道路の出口を通過している場合には、この特定有料道路の通過出口情報が通過出入口情報取得部２１によって取得されているものとする。
【００８５】
そして、初期状態から、まず、図３のステップ１（ＳＴ１）において、判定部２８により、出入口付近到達検出部２６の検出結果に基づいて、特定有料道路の入口付近への自車の到達が検出されたか否かを判定する。そして、ステップ１（ＳＴ１）において肯定的な判定結果が得られた場合には、ステップ２（ＳＴ２）に進み、否定的な判定結果が得られた場合には、ステップ１（ＳＴ１）を繰り返す。
【００８６】
次いで、ステップ２（ＳＴ２）において、判定部２８により、前述した手法によって条件（１）が満足されたか否かを判定する。そして、ステップ２（ＳＴ２）において肯定的な判定結果が得られた場合には、ステップ３（ＳＴ３）に進み、否定的な判定結果が得られた場合には、ステップ８（ＳＴ８）に進む。
【００８７】
ここで、ステップ８（ＳＴ８）に進んだ場合には、このステップ８（ＳＴ８）において、料金情報通知部２２により、「ＥＴＣゲートを通行できます。利用料金は○○○円です。」との予告通知を、表示および／または音声案内によって行って処理を終了する。
【００８８】
一方、ステップ３（ＳＴ３）に進んだ場合には、このステップ３（ＳＴ３）において、判定部２８により、前述した手法によって条件（２）が満足されたか否かを判定する。
【００８９】
そして、ステップ３（ＳＴ３）において肯定的な判定結果が得られた場合には、ステップ４（ＳＴ４）に進み、否定的な判定結果が得られた場合には、ステップ９（ＳＴ９）に進む。
【００９０】
ここで、ステップ９（ＳＴ９）に進んだ場合には、このステップ９（ＳＴ９）において、料金情報通知部２２により、通知制御部３０の制御の下で、「ＥＴＣゲートを通行できます。指定施設を利用していませんので、利用料金は○○○円です。」との予告通知を、表示および／または音声案内によって行って処理を終了する。
【００９１】
一方、ステップ４（ＳＴ４）に進んだ場合には、このステップ４（ＳＴ４）において、判定部２８により、前述した手法によって条件（３）が満足されたか否かを判定する。
【００９２】
そして、ステップ４（ＳＴ４）において肯定的な判定結果が得られた場合には、ステップ５（ＳＴ５）に進み、否定的な判定結果が得られた場合には、ステップ１０（ＳＴ１０）に進む。
【００９３】
ここで、ステップ１０（ＳＴ１０）に進んだ場合には、このステップ１０（ＳＴ１０）において、料金情報通知部２２により、通知制御部３０の制御の下で、「ＥＴＣゲートを通行できます。指定入口ではありませんので、利用料金は○○○円です。」との予告通知を、表示および／または音声案内によって行って処理を終了する。
【００９４】
一方、ステップ５（ＳＴ５）に進んだ場合には、このステップ５（ＳＴ５）において、判定部２８により、前述した手法によって条件（４）が満足されたか否かを判定する。
【００９５】
そして、ステップ５（ＳＴ５）において肯定的な判定結果が得られた場合には、ステップ６（ＳＴ６）に進み、否定的な判定結果が得られた場合には、ステップ１１（ＳＴ１１）に進む。
【００９６】
ここで、ステップ１１（ＳＴ１１）に進んだ場合には、このステップ１１（ＳＴ１１）において、料金情報通知部２２により、通知制御部３０の制御の下で、「ＥＴＣゲートを通行できます。制限時間超過のため、利用料金は○○○円です。」との予告通知を、表示および／または音声案内によって行って処理を終了する。
【００９７】
一方、ステップ６（ＳＴ６）に進んだ場合には、このステップ６（ＳＴ６）において、通知制御部３０による料金通知の禁止制御の下で、料金情報通知部２２による利用料金関連情報に基づいた利用料金の通知を行わずにステップ７（ＳＴ７）に進む。
【００９８】
次いで、ステップ７（ＳＴ７）において、料金情報通知部２２により、通知制御部３０の制御の下で、「ＥＴＣゲートを通行できます。指定施設利用のため、利用料金は発生しません。」との予告通知を、表示および／または音声案内によって行って処理を終了する。このとき、「発生しません」の代わりに「支払い済みです」または「０円です」と通知してもよい。
（変形例）
本実施形態の変形例においては、指定出入口情報として、前述した指定出口の識別情報の代わりに、指定出口の属性情報を、指定出口に対応する指定入口の属性情報との対応付けがなされた状態でハードディスクドライブ１２に記憶させておく。
【００９９】
また、本変形例においては、通過出入口情報取得部２１により、通過出口情報として、前述した通過出口の識別情報の代わりに、通過出口の属性情報を取得する。この通過出口の属性情報の取得は、ハードディスクドライブ１２に記憶された有料道路の出口の属性情報を含む地図データと、自車位置検出部２４の検出結果とに基づいて行う。具体的には、ＥＴＣ車載器８側から、出口の通過を示す情報（例えば、料金所番号等）が入力された際に、この時点で自車位置がマッチングされている有料道路の出口の属性情報を地図データから取得する。
【０１００】
さらに、本変形例においては、通過出口情報としての通過出口の通過時刻の取得を、前述のようなＥＴＣ車載器８の取得情報に基づいて行ってもよいし、または、現在時刻取得部２７の取得結果に基づいて行ってもよい。
【０１０１】
さらにまた、本変形例においては、判定部２８による条件（１）が満足されたか否かの判定を、通過出入口情報取得部２１によって取得された通過出口情報に含まれる出口の属性情報と、ハードディスクドライブ１２に記憶された指定出入口情報に含まれる指定出口の属性情報とを照合した結果、両者が一致するか否かに基づいて行うようにする。
【０１０２】
また、本変形例においては、判定部２８による条件（３）が満足されたか否かの判定を、出入口付近到達検出部２６によって検出された入口付近に対応する入口の属性情報と、ハードディスクドライブ１２に記憶された指定出入口情報に含まれる指定入口の属性情報とを照合して両者が一致し、その上で、この指定入口の属性情報が、条件（１）の判定において通過したと判定された指定出口の属性情報との対応付けがなされているか否かに基づいて行う。
【０１０３】
以上述べたように、本実施形態によれば、条件（１）〜（４）のすべてが満足されれば、特定有料道路の入口付近における利用料金の通知を禁止（換言すれば、キャンセル）することができるので、自車が向かっている特定有料道路の入口における利用料金の支払いが免除されることをユーザに確実に把握させることができる。
（ＥＴＣ車載器およびその料金情報通知方法の実施形態）
次に、本発明に係るＥＴＣ車載器の実施形態について図４および図５を参照して説明する。
【０１０４】
なお、ナビゲーション装置１と基本的構成が同一もしくはこれに類する箇所については、同一の符号を用いて説明する。
【０１０５】
図４に示すように、本実施形態におけるＥＴＣ車載器３５は、大別して、信号処理部３６と、この信号処理部３６にそれぞれ接続されたＲＦ部３７、ディスプレイ３８、スピーカ３９およびセキュリティモジュール部４０と、このセキュリティモジュール部４０に接続されたＥＴＣカードインターフェース（Ｉ／Ｆ）４１と、このＥＴＣカードインターフェース４１に挿入されたＥＴＣカード（ＩＣカード）４２とによって構成されている。
【０１０６】
また、図４に示すように、信号処理部３６は、ＣＰＵ４５、メモリ４６およびＤＳＲＣコントローラ４７を有している。
【０１０７】
ここで、ＲＦ部３７は、これに接続されたアンテナ４３を介して有料道路に設置された路側機との間でＤＳＲＣを行うとともに、その際に、アンテナ４３に出入りする電波とＲＦ部３７によって送受信されるデータとの間での変復調を行うようになっている。
【０１０８】
また、信号処理部３６は、ＣＰＵ４５およびＤＳＲＣコントローラ４７によってＥＴＣ車載器３５全体の制御を行うようになっており、ＲＦ部３７から受信したコマンドやデータにしたがって、メモリ４６やセキュリティモジュール部４０に対するデータの読み書き等を行うようになっている。
【０１０９】
さらに、セキュリティモジュール部４０は、ＥＴＣ車載器３５が保持する車両情報等を保護する暗号モジュールであり、路側機とＥＴＣ車載器３５との暗号通信やＥＴＣカード４２とＥＴＣ車載器３５との間の暗号通信を行うようになっている。
【０１１０】
さらにまた、本実施形態において、メモリ４６は、指定出入口情報記憶手段としての機能を有しており、このメモリ４６には、指定出入口情報として、指定出口の識別情報と指定入口の識別情報とが、互いに対応する出入口同士の対応付けがなされた状態で記憶されている。
【０１１１】
また、図５に示すように、ＣＰＵ４５は、ナビゲーション装置１のＣＰＵ１１と同様に、通過出入口情報取得部２１、料金情報通知部２２、指定施設利用情報取得部２５、判定部２８および通知制御部３０を有している。
【０１１２】
ただし、本実施形態においては、通過出入口情報取得部２１が、通過出口情報および通過入口情報を、ＲＦ部３７を介したＥＴＣ車載器３５と路側機との通信によってＲＦ部３７から取得するようになっている。ここで、自車が通過した出口が、出口支払いタイプの有料道路の出口の場合には、通過出口情報には、前述した出口の通過時刻および識別情報以外にも、有料道路の利用料金の情報が含まれる。同様に、自車が通過した入口が、入口支払いタイプの有料道路の入口の場合には、通過入口情報には、前述した入口の通過時刻および識別情報以外にも、有料道路の利用料金が含まれる。
【０１１３】
さらに、ナビゲーション装置１の構成と同様に、本実施形態において、通過出入口情報取得部２１は、ＥＴＣ車載器３５にＥＴＣカードが挿入された状態で自車が特定有料道路のＥＴＣ出口ゲートを通過する際すなわち自車が特定有料道路の出口をＥＴＣを利用して通過する際に、通過出口情報取得手段として機能し、特定有料道路の通過出口情報を取得するようになっている。
【０１１４】
さらにまた、本実施形態において、通過出入口情報取得部２１は、ＥＴＣ車載器３５にＥＴＣカードが挿入された状態で自車が特定有料道路のＥＴＣ入口ゲートを通過する際すなわち自車が特定有料道路の入口をＥＴＣを利用して通過する際に、通過入口情報取得手段として機能し、特定有料道路の通過入口情報を取得するようになっている。
【０１１５】
また、本実施形態において、料金情報通知部２２は、自車が有料道路の出入口を通過する際に、ＥＴＣ車載器３５と路側機との通信によって通過出口情報または通過入口情報として利用料金の情報が取得された場合に、当該利用料金をスピーカ３９を介した音声案内およびディスプレイ３８への表示によってユーザに通知するようになっている。すなわち、本実施形態においては、路側機からの取得情報に基づいた利用料金の通知を行うようになっている。
【０１１６】
さらに、本実施形態において、指定施設利用情報取得部２５は、指定施設利用情報を、ＲＦ部３７を介したＥＴＣ車載器３５と指定施設のＥＴＣアンテナとの通信によってＲＦ部３７から取得するようになっている。
【０１１７】
さらにまた、本実施形態において、判定部２８は、指定出入口情報をメモリ４６から取得するようになっている。
【０１１８】
また、本実施形態においては、自車が特定有料道路の入口をＥＴＣを利用して通過する際に、判定部２８が、次の条件（１）〜（４’）が満足されたか否かを、条件（１）から条件（４’）に向かう順番にしたがって順次判定するようになっている。なお、自車が特定有料道路の入口をＥＴＣを利用して通過することについては、例えば、メモリ４６内に特定有料道路の各入口の識別情報を格納しておいた上で、判定部２８が、通過出入口情報取得部２１によって取得された通過入口情報を、メモリ４６内に格納された当該識別情報と比較することによって判断すればよい。
【０１１９】
また、条件（２）以後の判定は、その直前の判定において肯定的な判定結果が得られた場合にのみ行えばよい。
【０１２０】
（１）自車が指定出口をＥＴＣを利用して通過したこと。
【０１２１】
（２）自車が指定施設を利用したこと。
【０１２２】
（３’）自車が通過する入口が指定出口に対応する指定入口であること。
【０１２３】
（４’）自車が指定出口を通過してから指定出口に対応する指定入口を通過するまでの所要時間が制限時間（例えば、２時間）以内の時間であること。
【０１２４】
ここで、条件（１）および条件（２）は、ナビゲーション装置１の実施形態において説明したものと同様であり、これらの条件が満足されたか否かの判定は、ナビゲーション装置１の実施形態と同様の手法によって行うことができる。
【０１２５】
また、条件（３’）が満足されたか否かの判定は、通過出入口情報取得部２１によって取得された入口の識別情報と、メモリ４６に記憶された指定出入口情報に含まれる指定入口の識別情報とを照合して両者が一致し、その上で、この指定入口の識別情報が、条件（１）の判定において通過したと判定された指定出口の識別情報との対応付けがなされているか否かに基づいて行うことができる。
【０１２６】
さらに、条件（４’）が満足されたか否かの判定は、条件（３’）の判定において通過したと判定された指定入口の通過時刻（通過入口情報）から、条件（１）の判定において通過したと判定された指定出口の通過時刻（通過出口情報）を減じることによって前記所要時間を算出した上で、算出された前記所要時間を予め設定された前記制限時間と比較することによって行うことができる。
【０１２７】
さらにまた、本実施形態において、通知制御部３０は、判定部２８によって条件（１）〜（４’）のすべてが満足されたと判定された場合に、料金情報通知部２２に対して、前述した路側機からの取得情報に基づいた利用料金の通知を禁止する制御を行うようになっている。
【０１２８】
このような構成によれば、条件（１）〜（４’）のすべてが満足されれば、自車が特定有料道路の入口を通過する際に、料金情報通知部２２に通過出入口情報取得部２１側から通過入口情報として利用料金の情報が入力された場合であっても、この利用料金の通知は行われないことになる。
【０１２９】
また、通知制御部３０は、このような利用料金の通知を禁止する制御を行う際に、料金情報通知部２２に対して、利用料金に代えて利用料金が発生しない旨を通知させる制御を行ってもよい。
【０１３０】
このように構成すれば、条件（１）〜（４’）のすべてが満足されれば、自車が特定有料道路の入口を通過する際に、料金情報通知部２２により、利用料金が発生しない旨の通知が行われることになる。
【０１３１】
さらに、通知制御部３０は、条件（１）〜（４’）の順次判定において満足されていないと判定された条件が条件（２）以後の条件の場合には、料金情報通知部２２に対して当該条件が満足されなかった旨を利用料金と併せて通知させる制御を行うようにしてもよい。
【０１３２】
このように構成すれば、条件（２）〜（４’）のいずれかが満足されなかった場合には、その旨が利用料金とともに料金情報通知部２２によって通知されることになる。
【０１３３】
次に、前述したＥＴＣ車載器３５を適用したＥＴＣ車載器の料金情報通知方法の実施形態について、図６を参照して説明する。なお、初期状態において、自車が特定有料道路の出口を通過している場合には、この特定有料道路の通過出口情報が通過出入口情報取得部２１によって取得されているものとする。
【０１３４】
そして、初期状態から、まず、図６のステップ２１（ＳＴ２１）において、判定部２８により、通過出入口情報取得部２１の取得結果に基づいて、自車が特定有料道路の入口を通過しているか否かを判定する。そして、ステップ２１（ＳＴ２１）において肯定的な判定結果が得られた場合には、ステップ２２（ＳＴ２２）に進み、否定的な判定結果が得られた場合には、ステップ２１（ＳＴ２１）を繰り返す。
【０１３５】
次いで、ステップ２２（ＳＴ２２）において、判定部２８により、ナビゲーション装置１の実施形態と同様の手法によって条件（１）が満足されたか否かを判定する。そして、ステップ２２（ＳＴ２２）において肯定的な判定結果が得られた場合には、ステップ２３（ＳＴ２３）に進み、否定的な判定結果が得られた場合には、ステップ２８（ＳＴ２８）に進む。
【０１３６】
ここで、ステップ２８（ＳＴ２８）に進んだ場合には、このステップ２８（ＳＴ２８）において、料金情報通知部２２により、「利用料金は○○○円です。」との音声案内による通知を行って処理を終了する。このとき、ディスプレイ３８への利用料金の表示を併せて行ってもよい。
【０１３７】
一方、ステップ２３（ＳＴ２３）に進んだ場合には、このステップ２３（ＳＴ２３）において、判定部２８により、ナビゲーション装置１の実施形態と同様の手法によって条件（２）が満足されたか否かを判定する。
【０１３８】
そして、ステップ２３（ＳＴ２３）において肯定的な判定結果が得られた場合には、ステップ２４（ＳＴ２４）に進み、否定的な判定結果が得られた場合には、ステップ２９（ＳＴ２９）に進む。
【０１３９】
ここで、ステップ２９（ＳＴ２９）に進んだ場合には、このステップ２９（ＳＴ２９）において、料金情報通知部２２により、通知制御部３０の制御の下で、「利用料金は○○○円です。指定施設を利用していません。」との音声案内による通知を行って処理を終了する。
【０１４０】
一方、ステップ２４（ＳＴ２４）に進んだ場合には、このステップ２４（ＳＴ２４）において、判定部２８により、前述した手法によって条件（３’）が満足されたか否かを判定する。
【０１４１】
そして、ステップ２４（ＳＴ２４）において肯定的な判定結果が得られた場合には、ステップ２５（ＳＴ２５）に進み、否定的な判定結果が得られた場合には、ステップ３０（ＳＴ３０）に進む。
【０１４２】
ここで、ステップ３０（ＳＴ３０）に進んだ場合には、このステップ３０（ＳＴ３０）において、料金情報通知部２２により、通知制御部３０の制御の下で、「利用料金は○○○円です。指定入口ではありません。」との音声案内による通知を行って処理を終了する。
【０１４３】
一方、ステップ２５（ＳＴ２５）に進んだ場合には、このステップ２５（ＳＴ２５）において、判定部２８により、前述した手法によって条件（４’）が満足されたか否かを判定する。
【０１４４】
そして、ステップ２５（ＳＴ２５）において肯定的な判定結果が得られた場合には、ステップ２６（ＳＴ２６）に進み、否定的な判定結果が得られた場合には、ステップ３１（ＳＴ３１）に進む。
【０１４５】
ここで、ステップ３１（ＳＴ３１）に進んだ場合には、このステップ３１（ＳＴ３１）において、料金情報通知部２２により、通知制御部３０の制御の下で、「利用料金は○○○円です。制限時間を超過しました。」との音声案内による通知を行って処理を終了する。
【０１４６】
一方、ステップ２６（ＳＴ２６）に進んだ場合には、このステップ２６（ＳＴ２６）において、通知制御部３０による料金通知の禁止制御の下で、料金情報通知部２２による路側機からの取得情報に基づいた利用料金の通知を行わずにステップ２７（ＳＴ２７）に進む。
【０１４７】
次いで、ステップ２７（ＳＴ２７）において、料金情報通知部２２により、通知制御部３０の制御の下で、「利用料金は発生しません。指定施設を利用しました。」との音声案内による通知を行って処理を終了する。このとき、「発生しません」の代わりに「支払い済みです」または「０円です」と通知してもよい。
【０１４８】
以上述べたように、本実施形態によれば、条件（１）〜（４’）のすべてが満足されれば、特定有料道路の入口を通過する際の利用料金の通知を禁止することができるので、自車が通過している特定有料道路の入口における利用料金の支払いが免除されることをユーザに確実に把握させることができる。
【０１４９】
なお、本発明は、前述した実施の形態に限定されるものではなく、本発明の特徴を損なわない限度において種々変更することができる。
【０１５０】
例えば、本発明は、スマートＰＡを利用したサービス以外のこれと同様なサービスが首都高速道路以外の有料道路で将来的に実現される場合には、そのようなサービスにも有効に適用することができるものである。
【符号の説明】
【０１５１】
１  ナビゲーション装置
１２  ハードディスクドライブ
２１  通過出入口情報取得部
２２  料金情報通知部
２４  自車位置検出部
２５  指定施設利用情報取得部
２６  出入口付近到達検出部
２７  現在時刻取得部
２８  判定部
【図１】
0005550968.tif 000002
【図２】
0005550968.tif 000003
【図３】
0005550968.tif 000004
【図４】
0005550968.tif 000005
【図５】
0005550968.tif 000006
【図６】
0005550968.tif 000007